(57)【要約】【課題】ガラス物品の寸法の変動を抑制し、ガラス物品の品質の低下を抑制する。【解決手段】炉本体２０と、炉本体２０を加熱する燃焼バーナー２６ａ〜２６ｄとを備えるガラス溶融炉の炉内圧制御方法は、稼働中の燃焼バーナー２６ａ〜２６ｄが停止した場合に、炉本体２０に接続される煙道２７に補填用ガスを送風する。【選択図】図４
2020193119.tif 000002
【特許請求の範囲】
【請求項１】
炉本体と、前記炉本体を加熱する複数の燃焼バーナーとを備えるガラス溶融炉の炉内圧制御方法であって、
稼働中の少なくとも一つの前記燃焼バーナーが停止した場合に、前記炉本体に接続された煙道又は前記炉本体に補填用ガスを送風することを特徴とする炉内圧制御方法。
【請求項２】
前記煙道に補填用ガスを送風する請求項１に記載の炉内圧制御方法。
【請求項３】
前記煙道には、前記煙道から排出される排気ガスの流量を調整する排気ダンパが設けられ、
前記煙道における前記排気ダンパよりも上流側である前記炉本体側に補填用ガスを送風する請求項２に記載の炉内圧制御方法。
【請求項４】
管ガラス又はガラス繊維の製造に用いられる前記ガラス溶融炉に適用される請求項１〜３のいずれか一項に記載の炉内圧制御方法。
【請求項５】
ガラス溶融炉から供給される溶融ガラスを用いてガラス物品を成形する成形工程を有するガラス物品の製造方法であって、
前記ガラス溶融炉は、炉本体と、前記炉本体を加熱する複数の燃焼バーナーとを備え、
稼働中の少なくとも一つの前記燃焼バーナーが停止した場合に、前記炉本体に接続された煙道又は前記炉本体に補填用ガスを送風することを特徴とするガラス物品の製造方法。
【発明の詳細な説明】
【技術分野】
【０００１】
本発明は、ガラス溶融炉の炉内圧制御方法、及びガラス物品の製造方法に関する。
【背景技術】
【０００２】
特許文献１に開示されるように、天然ガス等の燃料と酸素とを混合して燃焼させる形式の燃焼バーナーを備えるガラス溶融炉が知られている。燃焼バーナーを備えるガラス溶融炉の炉内圧は、ガラス溶融炉から排出される排気ガスに適度な抵抗を与えて炉内外に差圧を設けることにより得られる。特許文献１には、ガラス溶融炉の煙道に設けられる排ガスファン及び排ガスダンパの動作を制御することにより、ガラス溶融炉の炉内圧を調整する方法が開示されている。
【先行技術文献】
【特許文献】
【０００３】
【特許文献１】特開平１１−０８３００６号公報
【発明の概要】
【発明が解決しようとする課題】
【０００４】
燃焼バーナーを備えるガラス溶融炉では、その稼働中に燃焼バーナーの清掃作業が行われる場合がある。燃焼バーナーの清掃作業は、次のようにして行われる。まず、ガラス溶融炉に設けられる燃焼バーナーのうち、清掃対象となる燃焼バーナーを停止してガラス溶融炉から取り外し、清掃を行う。その後、清掃された燃焼バーナーをガラス溶融炉に取り付け、当該バーナーの稼働を再開する。ガラス溶融炉に備えられる全ての燃焼バーナーについて、上記の一連の清掃作業を一つずつ実施する。
【０００５】
本発明者らは、上記清掃作業に連動して、ガラス溶融炉から供給される溶融ガラスを用いて成形されるガラス物品の寸法に変動が生じることに気付いた。ガラス物品の寸法の変動は、ガラス物品の品質の低下を引き起こす。
【０００６】
本発明は、こうした実情に鑑みてなされたものであり、その目的は、ガラス物品の寸法の変動を抑制し、ガラス物品の品質の低下を抑制することにある。
【課題を解決するための手段】
【０００７】
上記課題を解決する炉内圧制御方法は、炉本体と、前記炉本体を加熱する複数の燃焼バーナーとを備えるガラス溶融炉の炉内圧制御方法であって、稼働中の少なくとも一つの前記燃焼バーナーが停止した場合に、前記炉本体に接続される煙道又は前記炉本体に補填用ガスを送風する。
【０００８】
ガラス溶融炉の稼働中において、燃焼バーナーを停止すると、停止した燃焼バーナーに供給されていた燃料及び酸素等の供給ガスが断たれることにより、炉本体に供給される供給ガスの総量が減少して炉内圧が急激に低下する。本発明者らは、燃焼バーナーの停止による炉内圧の急激な低下が、ガラス物品の寸法の変動の要因の一つであることを見出した。上記構成によれば、燃焼バーナーを停止した際に減少する供給ガスの減少分の少なくとも一部が、煙道又は炉本体に送風される補填用ガスによって補填されることにより、炉内圧の急激な低下が抑制される。その結果、ガラス物品の寸法の変動も抑制され、ガラス物品の品質の低下を抑制することができる。
【０００９】
上記炉内圧制御方法において、前記煙道に補填用ガスを送風することが好ましい。
上記構成によれば、炉本体内の温度よりも低い温度の補填用ガスを送風しても、炉本体に補填用ガスを直接送風する場合と比較して、炉内温度の低下を抑制できる。
【００１０】
上記炉内圧制御方法において、前記煙道には、前記煙道から排出される排気ガスの流量を調整する排気ダンパが設けられ、前記煙道における前記排気ダンパよりも上流側である前記炉本体側に補填用ガスを送風することが好ましい。
【００１１】
上記構成によれば、燃焼バーナーの停止後における炉内圧の急激な低下をより抑制しやすくなり、ガラス物品の寸法変動が抑制されやすくなる。
上記炉内圧制御方法は、管ガラス又はガラス繊維の製造に用いられる前記ガラス溶融炉に適用されることが好ましい。
【００１２】
管ガラス又はガラス繊維は、板ガラス等の他の形状のガラス物品と比較して、ガラス溶融炉の炉内圧の変動が、そのガラス溶融炉から供給される溶融ガラスを用いて成形されるガラス物品の寸法に影響を与えやすい。そのため、管ガラス又はガラス繊維の製造に用いられるガラス溶融炉に上記炉内圧制御方法を適用することにより、ガラス溶融炉の稼働中における燃焼バーナーの停止に起因するガラス物品の寸法の変動を抑制する効果がより顕著に得られる。
【００１３】
上記課題を解決するガラス物品の製造方法は、ガラス溶融炉から供給される溶融ガラスを用いてガラス物品を成形する成形工程を有するガラス物品の製造方法であって、前記ガラス溶融炉は、炉本体と、前記炉本体を加熱する複数の燃焼バーナーとを備え、稼働中の少なくとも一つの前記燃焼バーナーが停止した場合に、前記炉本体に接続された煙道又は前記炉本体に補填用ガスを送風する。
【００１４】
上記構成によれば、燃焼バーナーを停止した際に減少する供給ガスの総量の減少分の少なくとも一部が、煙道又は炉本体に送風される補填用ガスによって補填されることにより、炉内圧の急激な低下が抑制される。これにより、ガラス溶融炉から供給される溶融ガラスを用いて成形されたガラス物品の寸法の変動を抑制できる。
【発明の効果】
【００１５】
本発明によれば、ガラス溶融炉の稼働中における燃焼バーナーの停止に起因するガラス物品の寸法の低下を抑制でき、ガラス物品の品質の低下を抑制できる。
【図面の簡単な説明】
【００１６】
【図１】ガラス物品の製造装置のブロック図。
【図２】ガラス溶融炉の概略図。
【図３】ガラスの製造方法を示すフロー図。
【図４】ガラス溶融炉の炉内圧制御方法の説明図。
【発明を実施するための形態】
【００１７】
以下、本発明の一実施形態を説明する。
図１に示すように、ガラス物品を製造する製造装置は、ガラス原料を供給する供給部１１と、ガラス原料を溶融させて溶融ガラスとするガラス溶融炉１２と、溶融ガラスをガラス物品に成形する成形部１３とを備えている。
【００１８】
供給部１１は、ガラス溶融炉１２にガラス原料を供給する。供給部１１は、例えば、ガラス原料を貯留し、下部にガラス原料を排出する貯留槽と、貯留槽下方に位置し、貯留槽より排出されたガラス原料をガラス溶融炉１２まで搬送するコンベアにより構成される。ガラス原料としては、例えば、硅砂、石灰及びソーダ灰等の混合物が挙げられる。
【００１９】
図２に示すように、ガラス溶融炉１２は、炉本体２０を備えている。炉本体２０は、煉瓦等の耐火物により構成される底壁２１、側壁２２及び上壁２３を有し、側壁２２には、供給部１１に接続され、供給部１１より供給されたガラス原料が投入される投入口２４、及び成形部１３に接続される流出口２５が形成されている。
【００２０】
炉本体２０の側壁２２には、炉本体２０の内部を加熱する加熱手段として、天然ガス等の燃料と酸素とを混合して燃焼させる形式の燃焼バーナーが取り付けられている。燃焼バーナーは、供給部１１から炉本体２０に供給されたガラス原料を加熱して溶融させることで溶融ガラスＭＧを製造する。本実施形態では、燃焼バーナーとして、第１燃焼バーナー２６ａ、第２燃焼バーナー２６ｂ、第３燃焼バーナー２６ｃ、及び第４燃焼バーナー２６ｄの４個の燃焼バーナー２６が取り付けられている。第１〜第４燃焼バーナー２６ａ〜２６ｄは、それぞれ独立して点火及び消火が可能に設けられるとともに、それぞれ独立して炉本体２０に対する取り付け及び取り外しが可能に設けられている。以下、第１〜第４燃焼バーナー２６ａ〜２６ｄをまとめて燃焼バーナー２６と記載する。
【００２１】
炉本体２０には、炉本体２０内の排ガスを排出するための煙道２７が接続されている。煙道２７には、煙道２７から排出される排ガスの流量を調整することにより炉内圧を制御することが可能な排気ダンパ２８が設けられている。また、ガラス溶融炉１２は、炉本体２０の炉内圧を検出する圧力センサ２９と、圧力センサ２９により検出される炉本体２０の炉内圧に基づいて、炉内圧を予め設定された所定の圧力に近づけるように排気ダンパ２８の開度をフィードバック制御するダンパ制御部３０とを備えている。
【００２２】
煙道２７における排気ダンパ２８よりも上流側である炉本体２０側には、煙道２７内に補填用ガスを送風する送風機３１が設けられている。送風機３１は、ターボ形送風機であり、炉外から取り込んだ空気（外気）を補填用ガスとして煙道２７内に送風する。
【００２３】
送風機３１には、ガラス溶融炉１２の稼働中における燃焼バーナー２６の状態に連動させて送風機３１の駆動を制御する送風制御部３２が接続されている。送風制御部３２は、稼働中の燃焼バーナー２６の一部又は全部が停止された場合に、燃焼バーナー２６の停止と同時に送風機３１を駆動して、煙道２７内への空気の送風を開始する。また、送風制御部３２は、停止された燃焼バーナー２６の稼働が再開された場合に、燃焼バーナー２６の稼働と同時に送風機３１の駆動を停止して、煙道２７内への空気の送風を停止する。
【００２４】
送風制御部３２は、停止された燃焼バーナー２６の燃焼に用いられていた燃料及び酸素（以下、まとめて供給ガスという。）の体積流量に応じた流量の空気を煙道２７内に送風させるように送風機３１を駆動する。例えば、停止された燃焼バーナー２６を通じて炉本体２０内に供給されていた供給ガスの合計流量を１００％とした場合、送風機３１から送風する空気の流量は、５０％以上１５０％以下となる流量であることが好ましく、９０％以上１１０％以下となる流量であることがより好ましい。なお、２以上の燃焼バーナー２６が同時に停止された場合には、停止された全ての燃焼バーナー２６を通じて供給されていた供給ガスの流量の合計を１００％として、送風機３１から送風する空気の流量が設定される。
【００２５】
成形部１３は、ガラス物品の種類に応じた成形方法に基づき選択することができる。成形方法としては、例えば、ダンナー法、ロールアウト法、アップドロー法、フロート法、紡糸法、及びダウンドロー法（スリットダウンドロー法又はオーバーフローダウンドロー法）が挙げられる。
【００２６】
ガラス物品の種類としては、例えば、管ガラス、ガラス繊維（ガラス長繊維）、及び板ガラスが挙げられる。これらのなかでも、管ガラス又はガラス繊維が好ましい。
次に、上記の製造装置を用いたガラス物品の製造方法について説明する。
【００２７】
図３に示すように、ガラス物品の製造方法は、ガラス溶融炉１２においてガラス原料を溶融させて溶融ガラスＭＧとする溶融工程Ｓ１と、ガラス溶融炉１２から成形部１３へ溶融ガラスＭＧを移送する移送工程Ｓ２と、成形部１３において溶融ガラスＭＧを用いてガラス物品を成形する成形工程Ｓ３とを有する。
【００２８】
溶融工程Ｓ１では、ガラス溶融炉１２の炉本体２０に連続的に供給されるガラス原料を燃焼バーナー２６により加熱して溶融ガラスＭＧとする。炉本体２０内の温度は、ガラス原料の融点以上の温度であり、例えば、８００℃以上であることが好ましく、１８００℃以下であることが好ましい。炉本体２０の炉内圧は、ガラス溶融炉１２の煙道２７に設けられる排気ダンパ２８の開度を調整することによって一定範囲内に制御されている。
【００２９】
移送工程Ｓ２では、ガラス溶融炉１２から成形部１３へスロートやフィーダー等（図示略）を通じて溶融ガラスＭＧを移送する。移送工程Ｓ２における溶融ガラスＭＧの移送速度等の移送状態は、例えば、ガラス溶融炉１２の炉本体２０内における溶融ガラスＭＧの液面高さや供給部１１から供給されるガラス原料の単位時間あたりの供給量や後述する成形工程Ｓ３において、成形部１３から引き出される単位時間あたりのガラス流量を調整することによって制御される。供給部１１から供給されるガラス原料の単位時間あたりの供給量及び成形部１３から引き出される単位時間あたりのガラス流量が一定である場合、炉本体２０内における溶融ガラスＭＧの液面高さは、炉本体２０内の溶融ガラスＭＧに作用する圧力である炉内圧に基づいて変化するパラメータである。本実施形態においては、炉内圧を一定範囲内に制御することによって、溶融ガラスＭＧの液面高さの変動を抑制し、溶融ガラスＭＧの移送状態を安定させている。
【００３０】
成形工程Ｓ３では、ガラス溶融炉１２から成形部１３に移送された溶融ガラスＭＧを用いて、所定の成形方法によりガラス物品を製造する。
次に、ガラス溶融炉１２の稼働中に燃焼バーナー２６を停止した場合の炉内圧制御方法について、燃焼バーナー２６のメンテナンスを行う場合を例として説明する。なお、ガラス溶融炉１２の稼働中とは、炉本体２０内がガラス原料の融点以上の温度であり、炉本体２０内に溶融ガラスＭＧが保持されている状態を意味する。
【００３１】
図４に示すように、ガラス溶融炉１２の稼働中に燃焼バーナー２６のメンテナンスを行う場合には、まず、作業者の操作に基づいて、稼働中の複数の燃焼バーナー２６の中からメンテナンスの対象となる一つの燃焼バーナー２６（例えば、第１燃焼バーナー２６ａ）が停止される。第１燃焼バーナー２６ａが停止されると、送風制御部３２により送風機３１が駆動されて、第１燃焼バーナー２６ａを通じて炉本体２０内に供給されていた供給ガスに応じた流量の空気が煙道２７に送風される。
【００３２】
第１燃焼バーナー２６ａの停止後、炉本体２０から第１燃焼バーナー２６ａを取り出して、清掃、部品交換、燃焼バーナー２６自体の交換等のメンテナンスを行う。メンテナンス後、第１燃焼バーナー２６ａを炉本体２０に取り付けて、第１燃焼バーナー２６ａの稼働を再開させる。第１燃焼バーナー２６ａの稼働が再開されると、送風制御部３２により送風機３１の駆動が停止されて、煙道２７内への空気の送風が停止される。その後、残りの燃焼バーナー２６についても、上記の一連のメンテナンス作業を一つずつ実施する。
【００３３】
ここで、第１燃焼バーナー２６ａを停止させる際に、第１燃焼バーナー２６ａを停止させる処理のみを行った場合、第１燃焼バーナー２６ａを通じた供給ガスの供給が断たれることにより、ガラス溶融炉１２の炉本体２０の炉内圧が急激に低下する。炉本体２０の炉内圧の急激な低下は、炉本体２０の溶融ガラスＭＧの液面高さの変動、ひいては溶融ガラスＭＧの移送状態の変動を招く。そして、溶融ガラスＭＧの移送状態が変動することによって、成形部１３により成形されるガラス物品の寸法が変動してしまう。なお、こうした燃焼バーナー２６の停止に起因するガラス溶融炉１２の炉内圧の低下は、短時間で急激に起こるため、排気ダンパ２８による圧力制御では、変動の抑制が間に合わない。
【００３４】
本実施形態では、第１燃焼バーナー２６ａから供給されていた供給ガスに応じた量の空気を煙道２７に供給することにより、第１燃焼バーナー２６ａから供給されていた供給ガスが断たれることによる供給ガスの減少分を補填して、炉本体２０の炉内圧の急激な低下を抑制している。そして、炉内圧の急激な低下を抑制することによって、成形部１３により成形されるガラス物品の寸法の変動を抑制している。
【００３５】
次に、本実施形態の効果について記載する。
（１）炉本体２０と、炉本体２０を加熱する燃焼バーナー２６とを備えるガラス溶融炉１２の炉内圧制御方法は、稼働中の燃焼バーナー２６が停止した場合に、炉本体２０に接続される煙道２７に補填用ガスを送風する。
【００３６】
上記構成によれば、燃焼バーナー２６を停止した際に減少する供給ガスの減少分の少なくとも一部が、煙道２７に送風される補填用ガスによって補填されることにより、炉本体２０の炉内圧の急激な低下が抑制される。
【００３７】
（２）ガラス溶融炉１２の煙道２７に補填用ガスを送風する。
上記構成によれば、炉本体２０内の温度よりも低い温度の補填用ガスを送風しても、炉本体２０に補填用ガスを直接送風する場合と比較して、炉内温度の低下を抑制できる。
【００３８】
（３）煙道２７には、煙道２７から排出される排気ガスの流量を調整する排気ダンパ２８が設けられ、煙道２７における排気ダンパ２８よりも上流側である炉本体２０側に空気を送風している。
【００３９】
上記構成によれば、燃焼バーナー２６の停止後に、排気ダンパ２８の開度が大きく変化することを抑制できる。
（４）送風機３１として、ターボ形送風機を用いている。
【００４０】
ターボ形送風機は、所定の流量が得られるまでの立ち上がり時間が短く応答性に優れているため、燃焼バーナー２６の停止に起因する炉内圧の急激な低下をより効果的に抑制できる。
【００４１】
（５）炉内圧制御方法の対象となるガラス溶融炉１２は、管ガラス又はガラス繊維の製造に用いられるガラス溶融炉である。
管ガラス又はガラス繊維は、板ガラス等の他のガラス物品と比較して、ガラス溶融炉１２の炉内圧の変動が、そのガラス溶融炉１２から供給される溶融ガラスＭＧを用いて成形されるガラス物品の寸法に影響を与えやすく、特に径方向の寸法が変化しやすい。そのため、管ガラス又はガラス繊維の製造に用いられるガラス溶融炉１２に上記炉内圧制御方法を適用することにより、燃焼バーナー２６の停止に起因するガラス物品の寸法の変動を抑制する効果がより顕著に得られる。
【００４２】
なお、本実施形態は、以下のように変更して実施することができる。本実施形態及び以下の変更例は、技術的に矛盾しない範囲で互いに組み合わせて実施することができる。
・ガラス溶融炉１２に設けられる燃焼バーナー２６の数は特に限定されるものではなく、１〜３であってもよいし、５以上であってもよい。
【００４３】
・燃焼バーナー２６は、燃料と酸素とを混合して燃焼させる形式のものに限定されるものではなく、燃料や酸素等の供給ガスを供給しながら燃焼させるものであればよい。
・送風機３１は、ターボ形送風機に限定されるものではなく、その他の送風機を用いてもよい。
【００４４】
・補填用ガスの種類は、空気（外気）に限定されるものではない。例えば、加熱した空気を送風してもよいし、煙道２７から排出された排気ガスの一部を回収して補填用ガスとして煙道２７に送風してもよい。
【００４５】
・煙道２７における排気ダンパ２８よりも下流側に補填用ガスを送風してもよい。
・補填用ガスの送風箇所は煙道２７に限定されるものではなく、炉本体２０に補填用ガスを送風してもよい。例えば、炉本体２０に連通される専用の流路を設け、その流路に送風機３１を設けてもよい。
【００４６】
・補填用ガスの送風箇所の数は、２以上であってもよい。
・上記実施形態では、燃焼バーナー２６の停止と同時に送風機３１を駆動していたが、送風機３１を駆動するタイミングはこれに限定されるものではない。例えば、燃焼バーナー２６を停止する操作や信号の入力に基づく第１タイミングで送風機３１を先に駆動し、第１タイミングから送風機３１の立ち上がり時間に応じた待機時間を経た第２タイミングで燃焼バーナー２６を停止させるようにしてもよい。
【００４７】
・送風制御部３２を省略して、作業者の操作等によって送風機３１を駆動してもよい。
・製造装置におけるガラス溶融炉１２と成形部１３との間に任意の工程設備を設けて、溶融ガラスＭＧに対して当該工程設備による任意の処理を行ってもよい。例えば、ガラス溶融炉１２と成形部１３とを接続するスロートやフィーダー等の途中に清澄等を目的とした清澄室を設けて、移送工程Ｓ２中に溶融ガラスＭＧの清澄を行ってもよい。
【００４８】
・ガラス溶融炉１２以外の装置に設けられる燃焼バーナーが停止した場合に補填用ガスを送風してもよい。例えば、フィーダー加熱用燃焼バーナーが内部に設けられるとともに煙道が接続されたフィーダーにおいて、稼働中のフィーダー加熱用燃焼バーナーが停止した場合に、フィーダーに接続される煙道又はフィーダーに補填用ガスを送風してもよい。
【００４９】
次に、上記実施形態及び別例から把握できる技術的思想を以下に記載する。
（イ）炉本体と、前記炉本体を加熱する複数の燃焼バーナーとを備えるガラス溶融炉であって、前記炉本体に接続される煙道に設けられ、前記煙道から排出される排気ガスの流量を調整する排気ダンパと、前記煙道又は前記炉本体に補填用ガスを送風する送風機と、前記送風機の駆動を制御する送風制御部とを備え、前記送風制御部は、稼働中の少なくとも一つの前記燃焼バーナーが停止した場合に前記送風機を駆動することを特徴とするガラス溶融炉。
【符号の説明】
【００５０】
ＭＧ…溶融ガラス、１０…製造装置、１１…供給部、１２…ガラス溶融炉、１３…成形部、２０…炉本体、２６…燃焼バーナー、２６ａ〜２６ｄ…第１〜第４バーナー、２７…煙道、２８…排気ダンパ、３１…送風機、３２…送風制御部。
【図１】
2020193119.tif 000003
【図２】
2020193119.tif 000004
【図３】
2020193119.tif 000005
【図４】
2020193119.tif 000006